(57)【特許請求の範囲】
【請求項１】
基板上の一方向に配置された複数のゲート信号線と、
前記ゲート線と交差する方向に配置された複数のドレイン信号線と、前記ゲート信号線からの走査信号により選択されると共に前記ドレイン信号線から映像信号が供給される表示画素がマトリックス状に配置された表示装置において、
前記表示画素内に配置された表示電極と、
逐次入力される映像信号を保持する補助容量を有し、該映像信号を前記表示電極に逐次供給する第１の表示回路と、
前記表示画素に対応して配置され映像信号を保持する保持回路を備え、該保持回路が保持した信号に応じた電圧を前記表示電極に供給する第２の表示回路と、
回路選択信号に応じて、前記第１及び第２の表示回路を選択する回路選択回路と、を備え、
前記保持回路に電源電圧を供給する高電位側の電源線と前記補助容量の一方の電極が接続された補助容量線とを共用したことを特徴とする表示装置。
【請求項２】
前記保持回路は正帰還された２段のインバータ回路を有し、前記補助容量線に前記２段のインバータ回路の高電位側の電源線を接続したことを特徴とする請求項１に記載の表示装置。
【請求項３】
基板上の一方向に配置された複数のゲート信号線と、
前記ゲート線と交差する方向に配置された複数のドレイン信号線と、前記ゲート信号線からの走査信号により選択されると共に前記ドレイン信号線から映像信号が供給される表示画素がマトリックス状に配置された表示装置において、
前記表示画素内に配置された表示電極と、
逐次入力される映像信号を保持する補助容量を有し、該映像信号を前記表示電極に逐次供給する第１の表示回路と、
前記表示画素に対応して配置され映像信号を保持する保持回路を備え、該保持回路が保持した信号に応じた電圧を前記表示電極に供給する第２の表示回路と、
回路選択信号に応じて、前記第１及び第２の表示回路を選択する回路選択回路と、を備え、
前記保持回路に接地電圧を供給する低電位側の電源線と前記補助容量の一方の電極が接続された補助容量線とを共用したことを特徴とする表示装置。
【請求項４】
前記保持回路は正帰還された２段のインバータ回路を有し、前記補助容量線に前記２段のインバータ回路の低電位側の電源線を接続したことを特徴とする請求項３に記載の表示装置。
【請求項５】
基板上の一方向に配置され、走査信号が順次印加される複数のゲート信号線と、前記ゲート線と交差する方向に配置された複数のドレイン信号線と、表示画素毎に設けられ、前記ゲート信号線に印加される走査信号に応じて表示画素を選択する画素選択トランジスタと、前記表示画素内に配置され、前記ドレイン信号線から入力される映像信号を保持する保持回路とを備え、前記保持回路に保持された映像信号に応じて表示を行う表示装置において、
前記保持回路に接地電圧を供給する低電位側の電源線を、当該保持回路に対応するゲート信号線より走査信号が印加される順番を基準として前段のゲート信号線に接続したことを特徴とする表示装置。
【請求項６】
前記保持回路は正帰還された２段のインバータ回路を有し、前記２段のインバータ回路の低電位側の電源線を、当該保持回路に対応するゲート信号線より走査信号が印加される順番を基準として前段のゲート信号線に接続したことを特徴とする請求項５に記載の表示装置。
【発明の詳細な説明】
【０００１】
【発明の属する技術分野】
本発明は表示装置に関し、特に携帯可能な表示装置に用いて好適な表示装置に関する。
【０００２】
【従来の技術】
近年、携帯可能な表示装置、例えば携帯テレビ、携帯電話等が市場ニーズとして要求されている。かかる要求に応じて表示装置の小型化、軽量化、省消費電力化に対応すべく研究開発が盛んに行われている。
【０００３】
図５に従来例に係る液晶表示装置の一表示画素の回路構成図を示す。絶縁性基板（不図示）上に、ゲート信号線５１、ドレイン信号線６１とが交差して形成されており、その交差部近傍に両信号線５１、６１に接続された画素選択薄膜トランジスタ７２が設けられている。以下、薄膜トランジスタをＴＦＴと略す。画素選択ＴＦＴ７２のソース１１ｓは液晶２１の表示電極８０に接続されている。
【０００４】
また、表示電極８０の電圧を１フィールド期間、保持するための補助容量８５が設けられており、この補助容量８５の一方の端子８６は画素選択ＴＦＴ７２のソース１１ｓに接続され、他方の電極８７には各表示画素に共通の電位が印加されている。
【０００５】
ここで、ゲート信号線５１に走査信号（Ｈレベル）が印加されると、画素選択ＴＦＴ７２はオン状態となり、ドレイン信号線６１からアナログ映像信号が表示電極８０に伝達されると共に、補助容量８５に保持される。表示電極８０に印加された映像信号電圧が液晶２１に印加され、その電圧に応じて液晶２１が配向することにより液晶表示を得ることができる。
【０００６】
したがって、動画像、静止画像に関係なく液晶表示を行うことができる。かかる液晶表示装置に静止画像を表示する場合は、例えば携帯電話の液晶表示部の一部に携帯電話を駆動するためのバッテリの残量表示として、乾電池の画像を表示する。
【０００７】
しかしながら、上述した構成の液晶表示装置においては、静止画像を表示する場合であっても、動画像を表示する場合と同様に、走査信号で画素選択ＴＦＴ７２をオン状態にして、映像信号を各表示画素に再書き込みする必要が生じていた。
【０００８】
そのため、走査信号及び映像信号等の駆動信号を発生するためのドライバ回路、及びドライバ回路の動作タイミングを制御するための各種信号を発生する外部ＬＳＩは常時動作するため、常に大きな電力を消費していた。このため、限られた電源しか備えていない携帯電話等では、その使用可能時間が短くなるという欠点があった。
【０００９】
これに対して、各表示画素にスタティック型メモリを備えた液晶表示装置が特開平８−１９４２０５号に開示されている。同公報の一部を引用して説明するとこの液晶表示装置は、図６に示すように、２段インバータＩＮＶ１，ＩＮＶ２を正帰還させた形のメモリ、即ちスタティック型メモリをデジタル映像信号の保持回路として用いることにより、消費電力を低減するものである。
【００１０】
ここで、スタティック型メモリに保持された２値デジタル映像信号に応じて、スイッチ素子２４は参照線Ｖrefと表示電極８０との間の抵抗値を制御し、液晶２１のバイアス状態を調整している。一方、共通電極には交流信号Ｖcomを入力する。本装置は理想上、静止画像のように表示画像に変化がなければ、メモリへのリフレッシュは不要である。
【００１１】
【発明が解決しようとする課題】
上述したように、従来の液晶表示装置ではアナログ映像信号に対応してフルカラーの動画像を表示するのに適している。一方、デジタル映像信号を保持するためのスタティック型メモリを備えた液晶表示装置では、低階調度の静止画像を表示すると共に、消費電力を低減するのに適している。
【００１２】
しかし、両液晶表示装置は映像信号源を異にしているため、１つの表示装置において、両者を同時に実現することができなかった。
【００１３】
そこで、本願出願人はアナログ表示とデジタル表示という２種類の表示を選択可能な表示装置を提案した。以下、この表示装置の概要について図７を参照しながら説明する。図７は、表示装置の一表示画素の構成を示す回路図である。
【００１４】
絶縁基板（不図示）上に配設されたゲート信号線５１とドレイン信号線６１の交差部近傍には、Ｐチャネル型ＴＦＴ４１及びＮチャネル型４２から成る回路選択回路４０が設けられている。ＴＦＴ４１，４２の両ドレインはドレイン信号線６１に接続されると共に、それらの両ゲートは回路選択信号線８８に接続されている。ＴＦＴ４１，４２は、回路選択信号線８８からの選択信号に応じていづれか一方がオンする。また、回路選択回路４０と対を成して、回路選択回路４３が設けられている。
【００１５】
また、回路選択回路４０に隣接して、Ｎチャネル型ＴＦＴ７１及びＮチャネル型ＴＦＴ７２から成る画素選択回路７０が配置されている。ＴＦＴ７１，７２はゲート信号線５１からの走査信号に応じてオンする。
【００１６】
また表示画素内には、アナログ映像信号を１フィールド期間保持するための補助容量８５が設けられている。補助容量８５の一方の電極８６はＴＦＴ７１のソース７１ｓに接続されている。他方の電極８７は全表示画素に共通の補助容量線ＳＣＬに接続され、固定のバイアス電圧が供給される。
【００１７】
この補助容量８５と液晶２１との間には、回路選択回路４３のＰチャネル型ＴＦＴ４４が設けられ、回路選択回路４３のＴＦＴ４１と同時にオンオフするように構成されている。また、画素選択ＴＦＴ７２と液晶２１の表示電極８０との間には、保持回路１１０、信号選択回路１２０が設けられている。
【００１８】
保持回路１１０は、、正帰還ループを構成する第１及び第２のインバータ回路ＩＮＶ１，ＩＮＶ２から成る。デジタル表示モードにおいては、回路選択信号線８８の電位が「Ｈ」となり、かつゲート信号線５１の走査信号が「Ｈ」となると、ドレイン線６１から入力される映像信号が保持回路１１０へ書き込まれる。
【００１９】
信号選択回路１２０は、保持回路１１０に保持されたデジタル映像信号に応じて信号を選択する回路であって、２つのＮチャネル型ＴＦＴ１２１、１２２で構成されている。ＴＦＴ１２１、１２２のゲートには保持回路１１０からの相補的な出力信号がそれぞれ印加されているので、ＴＦＴ１２１、１２２は相補的にオンオフする。ＴＦＴ１２２がオンすると信号Ａ（黒信号）が選択され、ＴＦＴ１２１がオンすると信号Ｂ（白信号）が選択され、回路選択回路４３のＴＦＴ４５を介して、液晶２１に電圧を印加する表示電極８０に供給される。
【００２０】
したがって、上述の表示装置の構成によれば、従来のアナログ表示モードとデジタル表示モード（低消費電力、静止画像対応）とを切換えることが可能となる。
【００２１】
しかしながら、保持回路１１０に電源電圧を供給する電源線ＬＶＤＤと、接地電圧を供給する接地線ＬＶＳＳの配線を行うため、配線面積が大きくなり画素回路を小型化できなかった。そのため、保持回路１１０のビット数を増やすことは回路の大型化を招き、画素の高精細化、多階調化を進展させることを困難にしていた。
【００２２】
【課題を解決するための手段】
本発明は上述した課題に鑑みて為されたものであり、
第１に、アナログ表示モードとデジタル表示モードとを切換可能な表示装置において、保持回路１１０に電源電圧を供給する電源線ＬＶＤＤと補助容量８５の一方の電極が接続された補助容量線ＳＣＬとを共用したものである（図１参照）。これにより、配線面積が削減されるので、画素の微細化、保持回路１１０の多ビット化による多階調表示化が可能になる。
【００２３】
第２に、アナログ表示モードとデジタル表示モードとを切換可能な表示装置において、保持回路１１０に接地電圧を供給する接地線ＬＶＳＳと補助容量８５の一方の電極が接続された補助容量線ＳＣＬとを共用したことである（図２参照）。これにより、同様に配線面積が削減され、画素の微細化、保持回路１１０の多ビット化による多階調表示化が可能になる。
【００２４】
第３に、アナログ表示モードとデジタル表示モードとを切換可能な表示装置において、保持回路１１０に接地電圧を供給する接地線ＬＶＳＳを、当該保持回路１１０に対応するゲート信号線５１ｂより走査信号が印加される順番を基準として前段のゲート信号線５１ａに接続したことである（図３参照）。
【００２５】
この発明は、ゲート信号線ａ，ｂ，…には、一水平期間毎に走査信号（「Ｈ」レベルのパルス）が順次印加され、個々のゲート信号線ａ，ｂ，…において走査信号が印加される一水平期間終了後には「Ｌ」レベル（接地電圧）に復帰する点に着目したものであり、ある表示画素に属する保持回路１１０の接地線を、走査が終了した前段のゲート信号線に接続することにより、当該保持回路１１０が属する表示画素が走査信号により選択され、デジタル映像信号を書き込み可能な状態の時には、当該保持回路に常に接地電圧が供給される。これにより専用の接地線ＬＶＳＳを削減することができるので、配線面積が削減され、画素の微細化、保持回路１１０の多ビット化による多階調表示化が可能になる。
【００２６】
【発明の実施の形態】
次に本発明の実施形態に係る表示装置について図面を参照しながら説明する。図１に、第１の実施形態に係る表示装置の回路構成を示す。図１において、簡単のため一表示画素を示しているが実際の表示装置ではかかる構成の表示画素が行列状に多数配置されている。なお、図１において、図７と同一部分については同一符号を付してその説明を省略する。
【００２７】
図１において、回路選択信号線８８からの選択信号ＳＷに応じて、回路選択回路４０，４３がスイッチングすることにより、補助容量８５を有する第１の表示回路（アナログ表示用）、保持回路１１０と信号選択回路１２０を有する第２の表示回路（デジタル表示用）のいずれか一方が選択される。
【００２８】
本実施形態では、保持回路１１０に電源電圧を供給する電源線ＬＶＤＤと補助容量８５の一方の電極が接続された補助容量線ＳＣＬとを共用することにより、配線面積の削減を図っている。補助容量線ＳＣＬは表示画素内をゲート信号線５１と平行して配設されている。保持回路１１０を構成しているインバータ回路ＩＮＶ１，ＩＮＶ２の電源線は、この補助容量線ＳＣＬと交差する方向に延在して配設され、補助容量線ＳＣＬに接続されている。共用された補助容量線ＳＣＬのレベルは、電源電圧（例えば５Ｖ）に固定される。
【００２９】
図２に、第２の実施形態に係る表示装置の回路構成を示す。図２において、簡単のため一表示画素を示しているが実際の表示装置ではかかる構成の表示画素が行列状に多数配置されている。なお、図２において、図７と同一部分については同一符号を付してその説明を省略する。
【００３０】
図２において、回路選択信号線８８からの選択信号ＳＷに応じて、回路選択回路４０，４３がスイッチングすることにより、補助容量８５を有する第１の表示回路（アナログ表示用）、保持回路１１０と信号選択回路１２０を有する第２の表示回路（デジタル表示用）のいずれか一方が選択される。この点は第１の実施形態と同様である。
【００３１】
本実施形態では、保持回路１１０に接地電圧を供給する接地線ＬＶＳＳと補助容量８５の一方の電極が接続された補助容量線ＳＣＬとを共用することにより、配線面積の削減を図っている。補助容量線ＳＣＬは表示画素内をゲート信号線５１と平行して配設されている。保持回路１１０を構成しているインバータ回路ＩＮＶ１，ＩＮＶ２の接地線ＬＶＳＳは、この補助容量線ＳＣＬと交差する方向に延在して配設され、補助容量線ＳＣＬに接続されている。共用された補助容量線ＳＣＬのレベルは接地電圧（例えば、０Ｖ）に固定される。
【００３２】
なお、接地線ＬＶＳＳのレベルは０Ｖに限定されず、電源線ＬＶＤＤより低電位の配線であればよい。
【００３３】
図３に、第３の実施形態に係る表示装置の回路構成を示す。図３において、簡単のため隣接する２つの表示画素２００，２０１を示しているが、実際の表示装置ではかかる構成の表示画素が行列状に多数配置されている。なお、図３において、図７と同一部分については同一符号を付してその説明を省略する。
【００３４】
回路選択信号線８８からの選択信号ＳＷに応じて、回路選択回路４０，４３がスイッチングすることにより、各表示画素２００，２０１において、補助容量８５を有する第１の表示回路（アナログ表示用）、保持回路１１０と信号選択回路１２０を有する第２の表示回路（デジタル表示用）のいずれか一方が選択される。
【００３５】
本実施形態では、表示画素２０１内の保持回路１１０ｂのインバータ回路ＩＮＶ１，ＩＮＶ２に接地電圧を供給する接地線ＬＶＳＳｂは、当該保持回路１１０ｂに対応するゲート信号線５１ｂより前段のゲート信号線５１ａに接続されている。同様にして、表示画素２００内の保持回路１１０ａのインバータ回路ＩＮＶ１，ＩＮＶ２に接地電圧を供給する接地線ＬＶＳＳａは、当該保持回路１１０ｂに対応するゲート信号線５１ａより前段のゲート信号線（不図示）に接続されている。
【００３６】
次に図３、図４を参照しながら、上述した第３の実施形態に係る表示装置の駆動方法について説明する。図４は、デジタル表示モードが選択された場合のタイミング図である。なお、第１、第２の実施形態に係る表示装置についても同様な駆動方法が適用される。
（１）アナログ表示モードの場合
回路選択信号線８８が「Ｌ」に設定されると、回路選択回路４０，４３のＴＦＴ４１，４４がオンする。また、水平スタート信号ＳＴＨに基づいて、サンプリング信号に応じてサンプリングトランジスタＳＰ（不図示）がオンし、アナログ映像信号がドレイン信号線６１に供給される。また、垂直スタート信号ＳＴＶに基づいて、走査信号がゲート信号線５１に供給される。
【００３７】
走査信号に応じて画素選択ＴＦＴ７２がオンすると、ドレイン信号線６１からアナログ映像信号が表示電極８０に伝達されると共に、補助容量８５に保持される。表示電極８０に印加された映像信号電圧が液晶２１に印加され、その電圧に応じて液晶２１が配向することにより液晶表示を得ることができる。このアナログ表示モードでは、フルカラーの動画像を表示するのに好適である。
（２）デジタル表示モード
回路選択信号線８８の電位が「Ｈ」に設定されると、回路選択回路４０，４３のＴＦＴ４１，４４がオフすると共に、ＴＦＴ４２，４５がオンする。これにより、保持回路１１０が動作可能な状態になる。
【００３８】
また、外付け回路基板に搭載されたドライバスキャン用ＬＳＩ（不図示）から、ゲートドライバ及びドレインドライバ（不図示）にスタート信号ＳＴＶ，ＳＴＨがそれぞれ入力される。それに応じてサンプリング信号が順次発生する。それぞれのサンプリング信号に応じて、各ドレイン信号線６１に接続されたサンプリングトランジスタＳＰ１，ＳＰ２，…，ＳＰｎが順にオンしてデジタル映像信号をサンプリングし、各ドレイン信号線６１に供給する。
【００３９】
ここで第１行、即ち走査信号Ｇ１が印加されるゲート信号線５１について説明する。走査信号Ｇ１によってゲート信号線５１に接続された各表示画素Ｐ１１、Ｐ１２、…Ｐ１ｎ（不図示）の各ＴＦＴが１水平走査期間オンする。
【００４０】
第１行第１列の表示画素Ｐ１１に注目すると、サンプリング信号ＳＰ１によってサンプリングしたデジタル映像信号Ｓ１１（ドレイン信号Ｄ１）がドレイン信号線６１に入力される。そして走査信号Ｇ１が「Ｈ」になり、ＴＦＴ７２がオン状態になると、デジタル映像信号Ｓ１１が保持回路１１０に書き込まれる。
【００４１】
第１行第２列の表示画素Ｐ１２に注目すると、サンプリング信号ＳＰ２によってサンプリングしたデジタル映像信号Ｓ１２（ドレイン信号Ｄ２）がドレイン信号線６１に入力される。以下、同様である。
【００４２】
この保持回路１１０で保持された信号は、信号選択回路１２０に入力されて、この信号選択回路１２０で信号Ａ又は信号Ｂを選択して、その選択した信号が表示電極８０に印加され、その電圧が液晶２１に印加される。こうしてゲート信号線５１から最終行のゲート信号線５１まで順次走査することにより、１画面分（１フィールド期間）の書き込みが終了する。
【００４３】
ここで、図３の表示画素２０１の画素選択ＴＦＴ７２に接続されたゲート信号線５１ｂに走査信号Ｇｎ+1（「Ｈ」）が供給されると、保持回路１１０ｂにドレイン信号線６１に入力されるデジタル映像信号が書き込まれる。
【００４４】
このとき、隣接する１つ前段の表示画素２００の画素選択ＴＦＴ７２に接続されたゲート信号線５１ａのレベルは「Ｌ」（接地電圧）となっている。したがって、保持回路１１０ｂのインバータ回路ＩＮＶ１，ＩＮＶ２には接地電圧が供給され、保持回路１１０ｂは正常に動作する。
【００４５】
なお、本実施形態では、保持回路１１０ｂに接地電圧を供給する接地線ＬＶＳＳを、当該保持回路１１０ｂに対応するゲート信号線５１ｂより１つ前段のゲート信号線５１ａに接続しているが、２つ以上前段のゲート信号線（不図示）に接続することも同様な作用効果が得られるので、本特許の範囲に含まれることは明らかである。
【００４６】
その後、保持回路１１０に保持されたデータに基づく表示（静止画像の表示）を行う。保持回路１１０にこの保持回路を駆動するための電源電圧を供給し、対向電極には対向電極電圧ＶCOM（信号Ａ）を印加し、液晶表示パネル１００がノーマリーホワイト（ＮＷ）の場合には、信号Ａには対向電極３２と同じ電位の電圧（ＶCOM）を印加し、信号Ｂには黒表示を行う為の表示電圧を印加する。そうすることにより、１画面分を保持して静止画像として表示することができる。
【００４７】
このとき、ドレイン信号線６１にデジタル映像信号で「Ｈ（ハイ）」が保持回路１１０に入力された場合には、信号選択回路１２０において第１のＴＦＴ１２１には「Ｌ」が入力されることになるので、第１のＴＦＴ１２１はオフとなり、他方の第２のＴＦＴ１２２には「Ｈ」が入力されることになるので第２のＴＦＴ１２２はオンとなる。これにより信号Ｂが選択され、液晶には信号Ｂの電圧が印加される。即ち、信号Ｂが印加され、液晶が電界によって立ち上がるため、ＮＷの表示パネルでは表示としては黒表示として観察できる。
【００４８】
ドレイン信号線６１にデジタル映像信号で「Ｌ」が保持回路１１０に入力された場合には、信号選択回路１２０において第１のＴＦＴ１２１には「Ｈ」が入力されることになるので第１のＴＦＴ１２１はオンとなり、他方の第２のＴＦＴ１２２には「Ｌ」が入力されることになるので第２のＴＦＴ１２２はオフとなる。そうすると、信号Ａが選択されて液晶には信号Ａの電圧が印加される。即ち、対向電極３２と同じ電圧が印加されるため、電界が発生せず液晶は立ち上がらないため、ＮＷの表示パネルでは表示としては白表示として観察できる。
【００４９】
このように、１画面分を書き込みそれを保持することにより静止画像として表示できるが、各ドライバ及びドライバスキャン用ＬＳＩの駆動を停止するので、その分、低消費電力化することができる。
【００５０】
なお、上述した第１、第２、第３の実施形態において、保持回路１１０は１ビットのデジタル映像信号を入力する構成であるが、本発明はそれに限定されるものではない。本発明によれば、配線面積が削減され画素回路が小型化できるので複数のデジタル映像信号を書き込み、かつ保持する、多ビット構成の保持回路に適用して有用なものである。これにより、高精細で、多階調の表示を行うことができる。
【００５１】
【発明の効果】
本発明の表示装置によれば、第１に、アナログ表示モードとデジタル表示モードとを切換可能な表示装置において、デジタル映像信号を保持する保持回路に電源電圧を供給する電源線と補助容量線とを共用したので、配線面積が削減され、画素の微細化、保持回路の多ビット化による多階調表示化が可能になる。
【００５２】
第２に、保持回路に接地電圧を供給する接地線と補助容量の一方の電極が接続された補助容量線とを共用したことので、同様に配線面積が削減され、画素の微細化、保持回路１１０の多ビット化による多階調表示化が可能になる。
【００５３】
第３に、保持回路に接地電圧を供給する接地線を、当該保持回路に対応するゲート信号線より走査信号が印加される順番を基準として前段のゲート信号線に接続したので、従来必要とされていた専用の接地線を削減することができ、配線面積が削減され、画素の微細化、保持回路１１０の多ビット化による多階調表示化が可能になる。
【図面の簡単な説明】
【図１】本発明の第１の実施形態に係る液晶表示装置の回路構成図である。
【図２】本発明の第２の実施形態に係る液晶表示装置の回路構成図である。
【図３】本発明の第３の実施形態に係る液晶表示装置の回路構成図である。
【図４】本発明の実施形態に係る液晶表示装置のタイミング図である。
【図５】従来例に係る液晶表示装置の他の回路構成図である。
【図６】従来例に係る液晶表示装置の他の回路構成図である。
【図７】アナログ表示とデジタル表示を選択可能な表示装置の回路構成図である。
【符号の説明】
２１          液晶
４０          回路選択回路
４３          回路選択回路
５１          ゲート信号線
６０          ドレインドライバ
６１          ドレイン信号線
７０          画素選択回路
８５          補助容量
１１０        保持回路
１２０        信号選択回路
【図１】
0003883817.tif 000002
【図２】
0003883817.tif 000003
【図３】
0003883817.tif 000004
【図４】
0003883817.tif 000005
【図５】
0003883817.tif 000006
【図６】
0003883817.tif 000007
【図７】
0003883817.tif 000008